(57)【要約】【課題】裾、袖、及び、その他の部位を床面に接触させることなく、容易に着用することができるつなぎ防塵服を提供する。【解決手段】上衣部２と下衣部３が一体となったつなぎ防塵服１であって、着用する際に上衣部２の丈を一時的に縮めるための上下一対の上衣部用留め具６と、下衣部３の丈を一時的に縮めるための下衣部用留め具とを有し、上衣部用留め具６のうち、上衣部用上側留め具６ａが、上衣部２におけるいずれかの位置に配置され、上衣部用下側留め具６ｂが、上衣部用上側留め具６ａよりも下方の位置であって、上衣部用上側留め具６ａと固定した際に上衣部２の丈を一時的に縮めることができる位置に配置されていることを特徴としている。【選択図】図２
0003209349.tif 000002
【実用新案登録請求の範囲】
【請求項１】
上衣部と下衣部が一体となったつなぎタイプの防塵服であって、
着用する際に上衣部の丈を一時的に縮めるための上下一対の上衣部用留め具と、下衣部の丈を一時的に縮めるための下衣部用留め具とを有し、
上衣部用留め具のうち、上側の留め具が、上衣部におけるいずれかの位置に配置され、
上衣部用留め具のうち、下側の留め具が、上側の留め具よりも下方の位置であって、上側の留め具と固定した際に上衣部の丈を一時的に縮めることができる位置に配置されていることを特徴とするつなぎ防塵服。
【請求項２】
着用者の頭部を覆うフードを有する上衣部と下衣部が一体となったつなぎタイプのフード付き防塵服であって、前記上衣部用留め具の上側の留め具が、フードの外側面又は内側面に配置されていることを特徴とする、請求項１に記載のつなぎ防塵服。
【請求項３】
上衣部の左右の袖部に袖部用留め具が配置され、左側袖部と右側袖部とを連結することによって袖部を背面側又は前面側で一時的に纏めることができるように、或いは、上衣部のいずれかの位置に左側袖部と右側袖部をそれぞれ個別に固定できるように構成されていることを特徴とする、請求項１又は請求項２に記載のつなぎ防塵服。
【請求項４】
上衣部と下衣部との境界部における内側面に把持部が取り付けられていることを特徴とする、請求項１〜３のいずれかに記載のつなぎ防塵服。
【請求項５】
上衣部用留め具、及び、下衣部用留め具として、一方に対して他方がスナップ嵌合するプラスチック製のホックが用いられていることを特徴とする、請求項１〜４のいずれかに記載のつなぎ防塵服。
【請求項６】
前記上衣部用留め具のうち、下側の留め具が上衣部又は下衣部の背面側の外側面又は内側面に配置されていることを特徴とする、請求項１〜５のいずれかに記載のつなぎ防塵服。
【請求項７】
上衣部を襟側から背面側又は前面側の腰部へ向かってロール状に巻いていき、腰部付近に配置した下側の留め具と、上衣部の前身頃、或いは、後身頃に配置した上側の留め具とを固定できるように構成されていることを特徴とする、請求項１〜６のいずれかに記載のつなぎ防塵服。
【考案の詳細な説明】
【技術分野】
【０００１】
本考案は、食品、半導体、医薬品の製造工場のクリーンルーム等において、着用者からの発塵を防止するために使用されるつなぎタイプの防塵服に関し、特に、裾、袖、及び、その他の部位を床面に接触させることなく、容易に着用することができるつなぎ防塵服に関する。
【背景技術】
【０００２】
高い清浄度が求められるクリーンルームでは、作業者の身体や着衣からの発塵を防止するために、入室する作業者において防塵服の着用が義務づけられることが一般的であり、この防塵服には、上衣と下衣とからなるセパレートタイプのほか、上衣部と下衣部が一体となったいわゆる「つなぎタイプ」のものなどがある。つなぎタイプの防塵服は、一般的に、セパレートタイプのものよりも防塵性能が高く、より高い清浄度が求められるクリーンルーム設備において用いられているが、セパレートタイプのものと比較して、着用に手間がかかるという問題がある。
【０００３】
具体的には、つなぎ防塵服を着用しようとする際には、まず、上衣部前面のファスナーのスライダーを引き下ろして、前身頃を左右に開くとともに、上衣部が手前側、下衣部が外側となるように腰部付近で前後に二つ折りにして前方に構え、左右の裾に脚を（片足ずつ）通して下衣部を装着し、次いで上衣部を腰部付近から背面側において立ち上げて、左右の袖に腕を通す。そして、前身頃を閉じて、ファスナーのスライダーを引き上げると、着用が完了する。
【０００４】
このようにつなぎ防塵服は、そもそも着用に手間がかかるという問題があるところ、より高い清浄度が求められるクリーンルーム設備においては、クリーンルーム内に異物が持ち込まれることを可能な限り回避するために、裾、袖、及び、その他の部位を床面に接触させることなく（更には、防塵服の外側面に手を接触させることなく）、防塵服の着用を完了させることが求められる場合もあり、このような場合、防塵服を着用しようとする者は、細心の注意を払って手順を実行しなければならず、より一層手間がかかってしまうという問題がある。
【先行技術文献】
【特許文献】
【０００５】
【特許文献１】特表２０１０−５３４２８２号公報
【特許文献２】実用新案登録第３１９４４８３号公報
【考案の概要】
【考案が解決しようとする課題】
【０００６】
このような問題に対処すべく、裾や袖を畳んだ状態で留め付けて、それらの丈を一時的に縮めることができるように構成し、従来のものと比較して簡単に着用できるよう工夫されたつなぎ防塵服なども存在するが（特許文献１、２）、このような防塵服を用いた場合でも、裾等を床面に接触させることなく着用しようとすると、依然として手間がかかり、細心の注意を払って手順を実行しなければならず、このため、更に着用が容易なつなぎ防塵服が求められている。
【０００７】
本考案は、上記のような従来技術における課題を解決しようとするものであって、従来品と比較して、より一層容易に着用することができるつなぎ防塵服を提供することを目的とする。
【課題を解決するための手段】
【０００８】
本考案に係るつなぎ防塵服は、着用する際に上衣部の丈を一時的に縮めるための上下一対の上衣部用留め具と、下衣部の丈を一時的に縮めるための下衣部用留め具とを有し、上衣部用留め具のうち、上側の留め具（上衣部用上側留め具）が、上衣部におけるいずれかの位置に配置され、上衣部用留め具のうち、下側の留め具（上衣部用下側留め具）が、上側の留め具よりも下方の位置であって、上側の留め具と固定した際に上衣部の丈を一時的に縮めることができる位置に配置されていることを特徴としている。
【０００９】
尚、上衣部が、着用者の頭部を覆うフードを有している場合には、上衣部用上側留め具が、フードの外側面又は内側面に配置されていることが好ましい。また、上衣部の左右の袖部に袖部用留め具が配置され、左側袖部と右側袖部とを連結することによって袖部を背面側又は前面側で一時的に纏めることができるように、或いは、上衣部のいずれかの位置に左側袖部と右側袖部をそれぞれ個別に固定できるように構成されていることが好ましい。
【００１０】
更に、上衣部と下衣部との境界部における内側面に把持部が取り付けられていることが好ましく、また、上衣部用留め具、及び、下衣部用留め具として、一方に対して他方がスナップ嵌合するプラスチック製のホックが用いられていることが好ましい。
【００１１】
また、上衣部用下側留め具が、上衣部又は下衣部の背面側に配置されていることが好ましく、更に、上衣部を襟側から背面側又は前面側の腰部へ向かってロール状に巻いていき、腰部付近に配置した下側の留め具と、上衣部の前身頃、或いは、後身頃に配置した上側の留め具とを固定できるように構成されていることが好ましい。
【考案の効果】
【００１２】
本考案に係るつなぎ防塵服は、上衣部用留め具及び下衣部用留め具によって、上衣部及び下衣部の丈をそれぞれ一時的に縮めることができ、また、左右の袖部を上衣部に挟持させることによって一時的に纏めた状態とすることができ、裾部や袖部の先端、或いは、その他の部位を、床面上方の高い位置に維持したまま着用プロセスを実行することができ、その結果、裾部の先端等を床面に一切接触させることなく、簡単に着用することができる。
【００１３】
また、上衣部と下衣部との境界部における内側面に把持部を取り付けた場合には、防塵服の外側面に手を接触させることなく、簡単に着用することができる。
【図面の簡単な説明】
【００１４】
【図１】図１は、本考案に係るつなぎ防塵服１の正面図である。
【図２】図２は、図１に示すつなぎ防塵服１の背面図である。
【図３】図３（１）は、図１に示すつなぎ防塵服１（前面側）の左右の裾部８，８をそれぞれ三つ折りにした状態を示す図であり、図３（２）は、図２に示すつなぎ防塵服１（背面側）の左側袖部９ａ及び右側袖部９ｂを折り重ねた状態を示す図である。
【図４】図４は、図３（２）に示すつなぎ防塵服１（背面側）の上衣部２を二つ折りにした状態を示す図である。
【図５】図５は、図４に示すつなぎ防塵服１（折り畳んだ状態）の上衣部２の前身頃を開いた状態を、下衣部３の前面側の視点によって示す図である。
【考案を実施するための形態】
【００１５】
以下、添付図面に沿って本考案に係る「つなぎ防塵服」を実施するための形態について説明する。図１は、本考案に係るつなぎ防塵服１の正面図であり、図２はその背面図である。このつなぎ防塵服１は、上衣部２と下衣部３が一体となっており、従来の一般的なつなぎ服と同様に、前面側中央のファスナー４のスライダーを股部５付近まで下げて、前身頃を左右に開くことによって着脱が可能となっている。
【００１６】
このつなぎ防塵服１における特徴的な構成部分は、下衣部３の丈を一時的に縮めるための上下一対の下衣部用留め具７（下衣部用上側留め具７ａ、下衣部用下側留め具７ｂ）を左右に一組ずつ有するほかに、上衣部２の丈を一時的に縮めるための上下一対の上衣部用留め具６（上衣部用上側留め具６ａ、上衣部用下側留め具６ｂ）をも有しているという点である。これにより、裾、袖、及び、その他の部位を床面に接触させることなく、簡単に着用することができる。
【００１７】
この点について具体的に説明すると、図１に示すように、つなぎ防塵服１の前面側には、下衣部３の左右の裾部８，８に、下衣部用下側留め具７ｂ，７ｂが配置され、腰部（上衣部２と下衣部３の境界部）に下衣部用上側留め具７ａ，７ａが配置されている。また、図２に示すように、つなぎ防塵服１の背面側には、上衣部２の襟の直下の位置に、上衣部用上側留め具６ａが配置され、腰部（上衣部２と下衣部３の境界部）に上衣部用下側留め具６ｂが配置されている。
【００１８】
尚、上衣部２の左右の袖部９のうち、左側袖部９ａ（左腕を通す袖部、図１において右側）の前面側には、袖部用左側留め具１０ａが配置され、右側袖部９ｂ（右腕を通す袖部、図２において右側）の背面側には、袖部用右側留め具１０ｂが配置されている。
【００１９】
そして、つなぎ防塵服１の前面側において、左右の下衣部用下側留め具７ｂ，７ｂを、対応する左右の下衣部用上側留め具７ａ，７ａに対してそれぞれ固定することにより、図３（１）に示すように、左右の裾部８，８をそれぞれ三つ折りの状態（二カ所で折り返した状態）とすることができ、下衣部３の丈を一時的に縮めることができる。また、左側袖部９ａ、及び、右側袖部９ｂをつなぎ防塵服１の背面側（又は前面側）で折り重ねて、図３（２）に示すように、袖部用左側留め具１０ａと袖部用右側留め具１０ｂとを固定することにより、左側袖部９ａと右側袖部９ｂを一時的に纏めた状態とすることができる。
【００２０】
更にこの状態から、上衣部用上側留め具６ａを上衣部用下側留め具６ｂに対して固定することにより、図４に示すように、上衣部２を背面側において二つ折りの状態（一カ所で折り返した状態）とすることができ、上衣部２の丈を一時的に縮めることができる。またこのとき、背面側で折り重ねられた左側袖部９ａと右側袖部９ｂ（図３（２）参照）は、二つ折りにされた上衣部２に挟持されて、纏められた状態が安定的に維持される。
【００２１】
尚、図３、図４においては、説明の便宜上、上衣部２の前身頃を閉じた状態（ファスナー４を閉じた状態）のつなぎ防塵服１を示したが、このつなぎ防塵服１を実際に着用する際には、図５に示すように、ファスナー４を下ろして、上衣部２の前身頃を大きく開き、装着しようとする者から見て、上衣部２が手前側、下衣部３が外側となるように腰部付近で前後に二つ折りにして前方に構え、左右の裾部８，８に脚を（片足ずつ）通して下衣部３を装着する。
【００２２】
このとき、裾部８，８は、下衣部用留め具７によって三つ折り状態となっているが、本実施形態においては、下衣部用留め具７として、一方に対して他方がスナップ嵌合するプラスチック製のホックが用いられており、裾部８に脚を入れて突っ張ることにより、下衣部用留め具７の嵌合状態を簡単に解除することができ、裾部８の下端まで脚を通せる状態となる。
【００２３】
左右の裾部８，８にそれぞれ脚を通して下衣部３を装着したら、次いで上衣部２を腰部付近から背面（着用しようとする者の背面）側において立ち上げる。このとき、上衣部２は、上衣部用留め具６によって二つ折り状態となっているが、上衣部用留め具６についても、スナップ嵌合するプラスチック製のホックが用いられているため、上衣部２の袖に手を入れ引っ張り上げることにより、上衣部用留め具６の嵌合状態を簡単に解除することができ、上衣部２を立ち上げ可能な状態となる。
【００２４】
上衣部２を立ち上げたら、続いて、袖部９，９に腕を（片方ずつ）通して上衣部２を装着する。このとき、袖部９，９は、袖部用留め具１０によって纏められた状態となっているが、袖部用留め具１０についても、スナップ嵌合するプラスチック製のホックが用いられているため、袖部９に腕を入れて突っ張ることにより、袖部用留め具１０の嵌合状態が簡単に解除され、袖部９の先端まで腕を通せる状態となる。そして、前身頃を閉じて、ファスナー４のスライダーを引き上げることにより着用が完了する。
【００２５】
このように本実施形態のつなぎ防塵服１は、上衣部用留め具６及び下衣部用留め具７によって、上衣部２及び下衣部３の丈をそれぞれ一時的に縮めることができ、また、袖部用留め具１０によって、左右の袖部９ａ，９ｂを一時的に纏めた状態とすることができ、裾部８や袖部９の先端、或いは、その他の部位を、床面上方の高い位置に維持したまま着用プロセスを実行することができ、その結果、裾部の先端等を床面に一切接触させることなく、簡単に着用することができる。
【００２６】
尚、本実施形態においては、上衣部２と下衣部３との境界部付近における内側面に、図１及び図３（１）において破線で示したような二つの把持部１１，１１が（左右方向に間隔を置いた位置に）取り付けられている。これらの把持部１１，１１は、例えば、高清浄度クリーンルームにおいて、防塵服の外側面に手を接触させることなく、防塵服の着用プロセスを完了させることが求められるような場合において好適に用いることができる。
【００２７】
具体的には、図５に示すように、上衣部２の前身頃を大きく開き、つなぎ防塵服１の内側面に取り付けられている把持部１１，１１を外方に露出させ、これらを両手で一つずつ把持することによって、折り畳んだ状態のつなぎ防塵服１を、装着しようとする者の前方に構えるようにして、着用プロセスを実行する。これにより、防塵服の外側面に手を触れることなく、つなぎ防塵服１を簡単に着用することができる。
【００２８】
尚、上述の通り本実施形態においては、上衣部用留め具６、下衣部用留め具７、及び、袖部用留め具１０として、一方に対して他方がスナップ嵌合するプラスチック製のホックが用いられているが、必ずしもこれには限定されず、一時的に固定状態（嵌合状態、貼着状態等）を維持できるとともに、固定状態を簡単に解除することができるものであれば、どのようなものでも用いることができる（例えば、面ファスナーや、磁石を利用した留め具等）。
【００２９】
また、本実施形態においては、上衣部用上側留め具６ａは、つなぎ防塵服１の背面側の上衣部２の襟の直下の位置に配置されているが（図２参照）、この位置に限定されるものではなく、例えば、襟部分に配置してもよい。また、必ずしも背面側に配置しなければならないわけではなく、上衣部２の前面側に配置してもよく、更に、つなぎ防塵服１の外側面ではなく、内側面に配置することもできる。
【００３０】
要するに、上衣部用上側留め具６ａは、上衣部用下側留め具６ｂよりも上方の位置であって、上衣部用下側留め具６ｂと固定した際に、上衣部２の丈を一時的に縮めることができる位置であれば、上衣部２におけるいずれの位置に配置してもよい。更に、着用者の頭部を被覆するフード（頭巾）を付帯するつなぎ防塵服に適用する場合においては、フードを含む上衣部のいずれかの位置に配置することができる。
【００３１】
一方、上衣部用下側留め具６ｂについては、上衣部用上側留め具６ａよりも下方の位置であれば、上衣部２、下衣部３、或いは、これらの境界部（腰部）のいずれに配置してもよいが、上衣部２をつなぎ防塵服１の背面側において折り畳める（或いは纏められる）ようにする場合には、つなぎ防塵服１の背面側の外側面に配置することが好ましく、また、上衣部２をつなぎ防塵服１の前面側において折り畳める（或いは纏められる）ようにする場合には、つなぎ防塵服１の背面側の内側面又は前面側の外側面に配置することが好ましい。
【００３２】
また、本実施形態においては、上衣部２は、上衣部用留め具６によって背面側で二つ折りの状態が維持されるように構成されているが、上衣部２を襟側から背面側又は前面側の腰部へ向かってロール状に巻いていき、腰部付近に配置した下側留め具と、上衣部２の前身頃、或いは、後身頃に配置した上側留め具とを固定できるように構成してもよい。
【００３３】
また、本実施形態においては、下衣部用留め具７によって裾部８を三つ折りの状態に維持できるように構成されているが（図３（１）参照）、下衣部用下側留め具７ｂを裾部８の下端に配置することによって、裾部８を二つ折りの状態に維持できるように構成してもよい。
【００３４】
更に、下衣部用留め具７を下衣部３の内側面に配置して、裾部８の下端部を内側（裾部８の内側）へ、内向きに裏返しながら引き込んだ状態として留め具を固定することにより、或いは、裾部８の中間部を部分的に内側（裾部８の内側）へ引き込んで半径方向に重ねた状態として留め具を固定することにより、裾丈を縮めることができるように構成してもよい。
【００３５】
また、本実施形態においては、一対の袖部用留め具１０（袖部用左側留め具１０ａ、袖部用右側留め具１０ｂ）を、左側袖部９ａと右側袖部９ｂとにそれぞれ一つずつ取り付けて、左側袖部９ａと右側袖部９ｂとを連結して纏められるように構成しているが、左側袖部９ａ、及び、右側袖部９ｂに、一対の袖部用留め具をそれぞれ個別に取り付けて、上衣部２のいずれかの位置に左側袖部９ａと右側袖部９ｂをそれぞれ個別に固定できるように構成してもよい。
【００３６】
更に、上衣部２の肩口の内側面に一方の留め具を配置し、袖部９の先端部又は肘部付近の内側面に他方の留め具を配置して、袖部９の先端部を内側（袖部９の内側）へ、内向きに裏返しながら引き込んだ状態として留め具を固定することにより、或いは、袖部９の中間部を部分的に内側（袖部９の内側）へ引き込んで半径方向に重ねた状態として留め具を固定することにより、袖丈を縮めることができるように構成してもよい。
【００３７】
尚、図３（２）に示すように、上衣部用留め具６を固定する前に、袖部９（左側袖部９ａ、右側袖部９ｂ）を背面側（又は前面側）で折り重ねるようにした場合、つまり、袖部９を背面側（又は前面側）で折り重ねた後で、上衣部２を二つ折りにして上衣部用留め具６を固定した場合、上述の通り、折り重ねられた袖部９は、二つ折りにされた上衣部２に挟持されて、纏められた状態が安定的に維持されることになるため、場合によっては、袖部９における袖部用留め具１０の取り付けを省略することもできる。
【符号の説明】
【００３８】
１：つなぎ防塵服、
２：上衣部、
３：下衣部、
４：ファスナー、
５：股部、
６：上衣部用留め具、
６ａ：上衣部用上側留め具、
６ｂ：上衣部用下側留め具、
７：下衣部用留め具、
７ａ：下衣部用上側留め具、
７ｂ：下衣部用下側留め具、
８：裾部、
９：袖部、
９ａ：左側袖部、
９ｂ：右側袖部、
１０：袖部用留め具、
１０ａ：袖部用左側留め具、
１０ｂ：袖部用右側留め具、
１１：把持部
【図１】
0003209349.tif 000003
【図２】
0003209349.tif 000004
【図３】
0003209349.tif 000005
【図４】
0003209349.tif 000006
【図５】
0003209349.tif 000007